(57)【要約】【課題】  患者情報の表示に使用するパネルの色を設定する際、その文字と色の組み合わせの自由度を制限する機能を備えたナースコール親機を提供する。【解決手段】  ボード部が映像を表示可能な第１ディスプレイ３１で構成され、個々の患者の氏名とパネル化した患者情報とが一体表示された患者情報表示枠Ｊの一覧が表示された一覧表示部Ｅ１と、患者と通話するための通話部３８とを備え、第１ディスプレイ３１の表示を制御する親機ＣＰＵ３７と、患者情報表示枠Ｊに表示する患者情報を記憶する情報記憶部３６と、パネル化した部位の色及び内部に表示する文字或いは記号の色を設定する設定画面Ｇを有し、情報記憶部３６が禁止した色の組み合わせを記憶し、親機ＣＰＵ３７は設定画面Ｇの操作により禁止色の組み合わせが選択されると組合せの保存を不可とする。【選択図】  図３
2014161370.tif 000002
【特許請求の範囲】
【請求項１】
ベッド毎に設置されたナースコール子機の呼出操作を受けて、ナースステーションにおいて看護師が応答するためのナースコール親機であって、
個々の患者の氏名と看護のための患者情報とが一体表示された患者情報表示枠の一覧を表示するディスプレイ及び前記ディスプレイの表示を制御する表示制御部と、患者と通話するための通話部とを備え、
前記患者情報表示枠に表示する患者情報を記憶する患者情報記憶部と、前記パネル化した部位の色及び内部に表示する文字或いは記号の色を設定する色設定部及び色設定を制御する色設定制御部と、禁止した色の組み合わせを記憶する禁止色記憶部とを備え、
前記色設定制御部は、前記色設定部の操作により禁止色の組み合わせが選択されると、組合せ不可信号を出力し、
前記表示制御部は、前記組合せ不可信号を受けて前記ディスプレイに組合せ不可である旨を表示させることを特徴とするナースコール親機。
【請求項２】
前記色設定制御部は、禁止した色の組合せが選択された場合は設定の保存を不可とし、前記表示制御部が前記ディスプレイに保存不可である表示を行うことを特徴とする請求項１記載のナースコール親機。
【請求項３】
前記表示制御部は、選択された色の組合せの如何に関わらず、前記ディスプレイ上に組合せ結果をプレビュー表示させることを特徴とする請求項１又は２記載のナースコール親機。
【請求項４】
ベッド毎に設置されて患者が看護師を呼び出すためのナースコール子機と、ナースステーションに設置されて患者からの呼び出しに応答するためのナースコール親機とを有するナースコールシステムにおいて、
前記ナースコール親機が請求項１乃至３の何れかに記載のナースコール親機であることを特徴とするナースコールシステム。
【発明の詳細な説明】
【技術分野】
【０００１】
本発明はナースコールシステムに関し、特にナースステーションに設置されるナースコール親機に関する。
【背景技術】
【０００２】
ナースコールシステムは、患者が看護師を呼ぶためにベッド毎に設置されたナースコール子機と、ナースステーションに設置されて患者からの呼び出しに応答するためのナースコール親機とを備えている。
このうちナースコール親機は、個々の患者名毎に患者の救護区分や診療科目、更には呼び出しが発生したら発光通知する通知部等を備えたエスカッションと称される患者情報の一覧を表示したボード部と、患者からの呼び出しに応答するための通話部とを備えたナースコール親機に加えて、各種設定を行い情報を表示するパーソナルコンピュータから成るＰＣ親機を備えたものが普及している（例えば、特許文献１参照）。
【先行技術文献】
【特許文献】
【０００３】
【特許文献１】特開２００５−３４９０２０号公報
【発明の概要】
【発明が解決しようとする課題】
【０００４】
ボード部を備えたナースコール親機は、入院患者に関する情報がボードに一覧表示されているため、入院患者全体を把握し易いし、呼び出しを受けた際に呼出元の患者を把握し易かった。また、ボード部は壁面に設置できることで大きな設置スペースを必要とせず、都合が良かった。
しかしながら、患者情報の一覧を表示するボード部は、ベッド数に合わせた数だけ表示部が必要であるため、ベッド数が多くなるとボードを追加して対応していた。例えば、１ボードあたり患者２０名（ベッド２０床）を一覧表示する構成が一般的であり、２０名を超えるとボードの追加が必要であり、ボード部の設置スペースが患者数に比例して大きくなっていた。
また、上述したように、ベッド数が２１床（患者が２１人）の場合は、２枚目のボードに表示される患者情報は１名だけであり、残り１９名分の表示エリアは、他の目的に利用し辛くボードの空きエリアを有効に利用できてはいなかった。
【０００５】
そのため、僅かな厚みで済むカラー液晶ディスプレイをボード部として使用することで、ベッド数が増加しても個々の患者情報の表示形態を変更することで対応し、ボードを増設することなく患者情報の一覧を省スペースで表示させることができるナースコール親機が検討されている。
この場合、各種患者情報を分かり易く表示するために、従来はマグネットを内蔵して色別に貼り付けて表示していた各種パネル（患者の救護区分、治療内容、診療科目等を表示するパネル）は、色を容易に変更することが可能となるため、病院側が設定して使用することが可能となる。また、そのような要望もある。
【０００６】
ところが、その場合新たな問題が発生することになった。従来は、ボードに貼られる患者の救護区分や診療科目等は文字が刻印されたカラーパネルをメーカーが指定した色で規定されていたため、情報の視認をスムーズに実施できたが、これらの色を病院側で自由に変更可能とすると、色の組み合わせ次第では個々の情報（表示されている文字）が判別し難い組み合わせとなる場合が生じ、逆に自由設定の弊害が生じた。
【０００７】
そこで本発明は、ナースコール親機のボード部に液晶ディスプレイ等のディスプレイを使用する場合に、患者情報の表示に使用するパネルの色を設定する際、その文字と色の組み合わせの自由度を制限する機能を備えたナースコール親機及びナースコールシステムを提供することを目的としている。
【課題を解決するための手段】
【０００８】
上記課題を解決する為に、請求項１の発明は、ベッド毎に設置されたナースコール子機の呼出操作を受けて、ナースステーションにおいて看護師が応答するためのナースコール親機であって、個々の患者の氏名と看護のための患者情報とが一体表示された患者情報表示枠の一覧を表示するディスプレイ及びディスプレイの表示を制御する表示制御部と、患者と通話するための通話部とを備え、患者情報表示枠に表示する患者情報を記憶する患者情報記憶部と、パネル化した部位の色及び内部に表示する文字或いは記号の色を設定する色設定部及び色設定を制御する色設定制御部と、禁止した色の組み合わせを記憶する禁止色記憶部とを備え、色設定制御部は、色設定部の操作により禁止色の組み合わせが選択されると、組合せ不可信号を出力し、表示制御部は、組合せ不可信号を受けてディスプレイに組合せ不可である旨を表示させることを特徴とする。
この構成によれば、患者情報表示枠に表示されるパネルの色として組合せ不可と設定された色の組合せが選択されたら、組合せ不可である旨が表示されるため、色設定する看護師等は設定している段階で色の組合せに問題があることを認識でき、ナースコール親機の使用を開始してから好ましくない設定を行ったことに気づくような事態を防止できる。そのため、患者情報のパネルの色設定を使用者の好みに合わせて且つ合理的に実施できる。
【０００９】
請求項２の発明は、請求項１に記載の構成において、色設定制御部は、禁止した色の組合せが選択された場合は設定の保存を不可とし、表示制御部がディスプレイに保存不可である表示を行うことを特徴とする。
この構成によれば、色の組合せの保存ができない旨の表示により、作業者は設定が好ましくないことを認識できる。また、禁止色の組合せは保存できないため、間違って設定されることもない。
【００１０】
請求項３の発明は、請求項１又は２記載の構成において、表示制御部は、選択された色の組合せの如何に関わらず、ディスプレイ上に組合せ結果をプレビュー表示させることを特徴とする。
この構成によれば、パネルの色と文字の色の組合せが禁止色の組合せであっても表示して確認できるため、納得し易い。
【００１１】
請求項４の発明は、ベッド毎に設置されて患者が看護師を呼び出すためのナースコール子機と、ナースステーションに設置されて患者からの呼び出しに応答するためのナースコール親機とを有するナースコールシステムにおいて、ナースコール親機が請求項１乃至３の何れかに記載のナースコール親機であることを特徴とする。
この構成によれば、患者情報表示枠に表示されるパネルの色として組合せ不可と設定された色の組合せが選択されたら、組合せ不可である旨が表示されるため、ナースコール親機の患者情報表示枠のパネル色を設定する看護師等は、設定している段階でそれ組合せに問題があることを認識でき、ナースコール親機の使用を開始してから好ましくない設定を行ったことに気づくような事態を防止できる。そのため、患者情報のパネルの色設定を使用者の好みに合わせて且つ合理的に実施できる。
【発明の効果】
【００１２】
本発明によれば、患者情報表示枠に表示されるパネルの色として組合せ不可と設定された色の組合せが選択されたら、組合せ不可である旨が表示されるため、色設定する看護師等は設定している段階で色の組合せに問題があることを認識でき、ナースコール親機の使用を開始してから好ましくない設定を行ったことに気づくような事態を防止できる。そのため、患者情報のパネルの色設定を使用者の好みに合わせて且つ合理的に実施できる。
【図面の簡単な説明】
【００１３】
【図１】本発明に係るナースコールシステムの一例を示す構成図である。
【図２】ナースコール親機の回路ブロック図である。
【図３】ボード部に患者情報表示枠一覧及び色設定画面を表示した表示説明図である。
【図４】患者情報表示枠の拡大図である。
【図５】図３の色設定画面の拡大説明図である。
【図６】設定されたパネルの一覧を示す説明図である。
【発明を実施するための形態】
【００１４】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は病室の出入口に設置されて患者からの呼出発生を通知する廊下灯、３はナースステーションに設置されて呼出発生を受けて応答するためのナースコール親機、４は呼出／応答を始め機器間の通信を制御する制御機、５は患者を撮像するために個々の病室に設置されたカメラ、６は看護師が携行して呼び出しに応答するための携帯端末、７は携帯端末６との通信を管理する交換機、８は携帯端末６と通信するために、所定の間隔で複数設置された基地局である。
【００１５】
廊下灯２、ナースコール親機３、制御機４、カメラ５等はそれぞれＨＵＢ１０を介して互いにＬＡＮ接続されている。一方、ナースコール子機１は病室毎に廊下灯２に伝送線Ｌ１を介して接続されているし、交換機７は制御機４に伝送線Ｌ２で接続されている。また、基地局８は交換機７に接続されている。
【００１６】
ナースコール子機１は、呼出ボタン１ａと壁面に設置されたプレート子機１ｂを有し、プレート子機１ｂは、呼出ボタン１ａの接続部及び通話部を備えている。
また、廊下灯２は、呼出発生をＬＥＤ等の点灯或いは点滅で通知する表示灯２ａ、患者氏名等の患者情報を表示する液晶表示部２ｂ等を備えている。
【００１７】
図２はナースコール親機３のブロック図を示している。ナースコール親機３は、図２に示すようにボード部としての大型のディスプレイ（第１ディスプレイ）３１、各種情報を表示し応答する看護師の見易い位置に設置された小型のディスプレイ（第２ディスプレイ）３２、それぞれのディスプレイが表示する画像或いは映像を制御する映像処理部３３、第１ディスプレイ３１に組み付けられて各種設定や操作を行うための第１タッチパネル３４、第２ディスプレイ３２に組み付けられて各種設定や操作を行うための第２タッチパネル３５、各種設定情報に加えて表示画像や映像を記憶する情報記憶部３６、ナースコール親機３全体を制御する親機ＣＰＵ３７、患者からの呼び出しに応答したり一斉放送するためのハンドセットを備えた通話部３８、音声信号を処理する音声処理部３９、制御機４等の他のナースコール機器とＬＡＮ接続するための通信インターフェース（通信ＩＦ）４０等を備えている。
尚、第１ディスプレイ３１は、例えば２４型の液晶ディスプレイが使用され、第２ディスプレイ３２は例えば７型の液晶ディスプレイが使用される。
【００１８】
図３は、第１ディスプレイ３１に患者情報表示枠の一覧（以下、患者情報一覧と言う）を表示すると共に、パネルの設定画面Ｇをポップアップ表示した説明図である。第１ディスプレイ３１は、図３に示すように患者情報一覧を表示する一覧表示部Ｅ１が設けられ、患者情報表示枠Ｊのパネル設定を行う際にこの一覧の上に設定画面Ｇが表示されて設定が行われる。
【００１９】
図４は表示される患者情報表示枠Ｊの拡大図を示している。図４に示すように、患者情報表示枠Ｊは、中央に患者氏名が表示され、氏名の左に担送、護送等の救護区分表示部Ｐ１、診療科目表示部Ｐ２、呼出発生を通知する通知灯Ｍ、病室番号表示部Ｒ１、ベッド番号表示部Ｒ２が配置され、氏名の右には治療内容である点滴情報表示部Ｐ３、術後情報表示部Ｐ４等が設けられ、患者情報表示枠Ｊに各種患者情報が表示されている。
そして、図４に示すように救護区分表示部Ｐ１、診療科目Ｐ２、点滴情報Ｐ３、術後情報Ｐ４等は、それぞれ異なった色の矩形枠（以下、「パネル」と称する）Ｐ内に文字が記入されて表示されている。これら個々の患者の患者情報は情報記憶部３６に記憶され、患者情報表示枠Ｊは所定の表示形態によって表示される。
【００２０】
尚、ここでは表示されていないが、表示項目として他に、担当医師名、担当看護師名等詳細情報が表示可能である。そして、患者情報の入力及び変更は、第１タッチパネル３４の操作、或いは図示しないパーソナルコンピュータを接続して実施される。
また、図３において一覧表示部Ｅ１の周囲に表示されている各種表示Ｓ１〜Ｓ６は第１タッチパネル３４で構成される操作部の一部を示している。具体的に、Ｓ１は患者情報一覧の表示形態を切り替える「表示切替」ボタン、Ｓ２は表示を選択するための一覧を表示する「一覧」ボタン、Ｓ３は患者情報の変更や後述する非表示設定等の各種設定を行う「設定」ボタン、Ｓ４は呼出履歴や録画履歴等の各種履歴を表示する「履歴」ボタン、Ｓ５は後述する看護情報エリアＥ２の表示を切り替える操作ボタン、Ｓ６は一覧表示部Ｅ１をホワイトボードとしての使用を可能とする切替ボタンである。
【００２１】
更に、図３に示すように第１ディスプレイ３１の一覧表示部Ｅ１の下部には、各種看護情報を表示する看護情報エリアＥ２が設けられている。看護情報エリアＥ２は、カメラ５の撮像映像の表示や各種設定情報が表示される。ここでは映像と、携帯端末番号（ハンディーナース番号）表が表示された状態を示している。
【００２２】
上記の如く構成されたナースコールシステムの動作を次に説明する。先ず、ナースコール子機１による呼び出し、その応答動作を簡単に説明する。
呼出ボタン１ａが押下されると、廊下灯２が病室ＩＤ（病室番号）及びナースコール子機ＩＤ（ベッド番号）を呼出信号に添付して制御機４に対して送信する。また、廊下灯２は呼出操作を受けて表示灯２ａを点灯或いは点滅等させて、呼出発生を報知し、液晶表示部２ｂに患者氏名を表示する。
【００２３】
呼出信号を受けた制御機４は、呼出信号をナースコール親機３に送信すると共に、呼出信号に含まれるナースコール子機ＩＤからナースコール子機１に関連付けられている携帯端末６を選択して呼出発生を通知する。この呼び出しは交換機７を介して実施される。尚、ナースコール子機ＩＤに関連付けられた携帯端末６の情報は制御機４が記憶している。
【００２４】
一方、制御機４から呼出信号を受けたナースコール親機３は、通話部３８から呼出報音を行う。また親機ＣＰＵ３７の制御で、呼出信号に含まれるナースコール子機ＩＤ情報を元に呼出元の患者が特定され、患者情報一覧の中の特定された患者情報表示枠Ｊの通知灯Ｍが点滅或いは点灯動作する。更に、第２ディスプレイ３２に呼出元の患者情報が表示される。
【００２５】
こうした呼出動作により、呼出発生を認識した看護師がナースコール親機３で応答する場合は、第２ディスプレイ３２に表示されている患者情報を確認しながら通話部３８のハンドセットを使用して応答することができる。一方、携帯端末６を携行している看護師により応答操作されると、ナースコール親機３での応答と同様に、応答することができる。尚、呼び出しが通知された携帯端末６にも、制御機４が病室番号や患者氏名等の患者情報を合わせて送信し、呼出音報音時に携帯端末６の表示部６ａに表示される。
【００２６】
次に、患者情報表示枠Ｊ内に表示するパネルＰの患者情報の設定操作を具体的に説明する。一覧表示部Ｅ１は、上述したように、患者情報表示枠Ｊ内の救護区分、治療内容、診療科目等はパネルＰを使用して簡略化した形で表示され、このパネルＰによる患者情報の色を使用者の好みに合わせて容易に変更することを可能としている。
【００２７】
第１タッチパネル３４の所定の操作によりパネル設定モードへ移行し、親機ＣＰＵ３７の制御で設定画面が表示される。その結果、図３に示すように設定画面Ｇがポップアップ表示される。図５は、この表示された設定画面Ｇのみを拡大表示し、Ｇ１は設定するパネルＰの名称表示部、Ｇ２はパネルの設定された色情報を示すプレビュー表示部、Ｇ３は色選択エリア、Ｇ４〜Ｇ６は操作ボタンである。
ここでは、「術後」を表示する治療内容のパネルＰの設定画面を示し、文字色とパネル全体の色を設定する画面を示している。実際にはカラー画面であるが、ここでは白黒表示となっている。
【００２８】
「文字色」の操作ボタンＧ４をタッチ操作等で選択した後、文字色を色選択エリアＧ３に表示されている複数の色から選択すれば文字色が選択でき、「パネル色」の選択ボタンＧ５を選択した後、色選択エリアＧ３から色を選択すればパネル自体の色が設定できる。そして「保存」ボタンＧ６が選択されたら、選択された色の組合せが「術後」のパネルの色として情報記憶部３６に保存される。
【００２９】
更に詳述すると、図５は文字色設定後にパネル色を設定する状態を示しており、色選択エリアＧ３の複数の色に表示されている「×」マークは選択が不可であることを示している。この「×」マークは、情報記憶部３６が予め好ましくない色の組合せを記憶しており、親機ＣＰＵ３７が文字色が設定された時点で、背景となるパネル色の選択色の範囲を決定し、好ましくない色には、「×」が表示される。
この色は、選択されてもプレビュー表示部Ｇ２に表示されるが、選択した時点で「保存」ボタンが「保存不可」と表示され（図示せず）、設定を保存できないことが表示される。こうして、個々のパネルＰの文字色とパネル色が設定される。
【００３０】
また、図６は、設定されたパネルの一覧を示し、第１ディスプレイ３１にポップアップ表示した一覧を切り取って表示している。設定した各種パネルＰから、患者情報表示枠Ｊに表示するパネルＰとして「透析」と「点滴」を選択した様子を示している。
【００３１】
このように、患者情報表示枠Ｊに表示されるパネルＰの色として組合せ不可と設定された色の組合せが選択されたら、組合せ不可である旨が×印や「保存不可」で表示されるため、色設定する看護師等は設定している段階で色の組合せが好ましくないことを認識でき、ナースコール親機３の使用を開始してから好ましくない設定を行ったことに気づくような事態を防止できる。よって、患者情報のパネルＰの色設定を使用者の好みに合わせて且つ合理的に実施できる。
また、色の組合せの保存ができない旨の表示により、作業者は設定が好ましくないことを認識できるし、禁止色の組合せは保存できないため、間違って設定されることもない。
更に、パネルの色と文字の色の組合せが禁止色の組合せであってもプレビュー表示されるため、確認でき納得し易い。
【００３２】
尚、上記実施形態は、パネルＰの色とパネル内に表示される文字の色の組合せを設定する操作の流れを説明したが、パネル内に表示されるものは文字でなくピクトグラム等の記号であっても良い。
【符号の説明】
【００３３】
１・・ナースコール子機、３・・ナースコール親機、４・・制御機、１２・・パネル、３１・・第１ディスプレイ（ボード部）、３３・・映像処理部（表示制御部）、３４・・第１タッチパネル、３６・・情報記憶部（患者情報記憶部、禁止色記憶部、色設定制御部）、３７・・親機ＣＰＵ（表示制御部、）、Ｊ・・患者情報表示枠、Ｅ１・・一覧表示部、Ｇ・・設定画面（色設定部）、Ｇ１・・名称表示部、Ｇ２・・プレビュー表示部、Ｇ３・・色選択エリア、Ｐ・・パネル。  
【図１】
2014161370.tif 000003
【図２】
2014161370.tif 000004
【図３】
2014161370.tif 000005
【図４】
2014161370.tif 000006
【図５】
2014161370.tif 000007
【図６】
2014161370.tif 000008